(57)【要約】      （修正有）【課題】本発明は、極めて商品価値の高い画期的な換気装置を提供することを目的とする。【解決手段】壁部に設けた換気孔に付設される換気装置であって、前記換気孔に設けられる筒状の取付本体１と、この取付本体１の正面開口部１ａに設けられ進退移動することで該正面開口部１ａを開閉する開閉蓋体２とから成り、前記開閉蓋体２の内面部には、前記筒状の取付本体１に挿入若しくは被嵌される連設部３が設けられ、この連設部３の周方向複数箇所に開閉自在の通気孔Ｓが設けられたものである。【選択図】図３
2018105562.tif 000002
【特許請求の範囲】
【請求項１】
壁部に設けた換気孔に付設される換気装置であって、前記換気孔に設けられる筒状の取付本体と、この取付本体の正面開口部に設けられ進退移動することで該正面開口部を開閉する開閉蓋体とから成り、前記開閉蓋体の内面部には、前記筒状の取付本体に挿入若しくは被嵌される連設部が設けられ、この連設部の周方向複数箇所に開閉自在の通気孔が設けられていることを特徴とする換気装置。
【請求項２】
請求項１記載の換気装置において、前記連設部は、前記通気孔を閉塞する所定長さの円弧板が周方向複数箇所に配設された円筒状であり、この各円弧板は前記連設部の長さ方向に移動自在に設けられ、この移動により前記通気孔が開閉するように構成されていることを特徴とする換気装置。
【請求項３】
請求項１，２いずれか１項に記載の換気装置において、前記連設部は、前記開閉蓋体の内面部に所定長さのガイド部材が周方向に間隔を介して複数設けられ、このガイド部材同士間が前記通気孔に設定され、このガイド部材同士間において前記円弧板が移動自在に設けられていることを特徴とする換気装置。
【請求項４】
請求項３記載の換気装置において、前記ガイド部材は周方向所定に当間隔を介した９０度毎に４つ設けられ、このガイド部材同士間に前記円弧板が上下左右の９０度毎に４つ設けられていることを特徴とする換気装置。
【請求項５】
請求項１〜４いずれか１項に記載の換気装置において、前記連設部にして前記円弧板の内方位置には、所定長さにして外方へ拡開する環状の風向き調整板が設けられていることを特徴とする換気装置。
【請求項６】
請求項５記載の換気装置において、前記風向き調整板は、前記通気孔に前後方向に間隔を介して複数設けられていることを特徴とする換気装置。
【発明の詳細な説明】
【技術分野】
【０００１】
本発明は、換気装置に関するものである。
【背景技術】
【０００２】
本出願人は、壁部30に設けた換気孔31に付設される換気装置として、例えば特開２００７−１０２５０に開示されるような換気装置（以下、従来例）を提案している。
【０００３】
この従来例は、図13に図示したように換気孔31に連設される筒状の取付本体21と、この取付本体21の正面開口部21ａに設けられ進退移動することで該正面開口部21ａを開閉する開閉蓋体22とから成る構成である。符号23は取付本体21に設けられ開閉蓋体22を進退移動自在に支持する蓋体支持部である。
【先行技術文献】
【特許文献】
【０００４】
【特許文献１】特開２００７−１０２５０号公報
【発明の概要】
【発明が解決しようとする課題】
【０００５】
ところで、従来例は、開閉蓋体22の開放状態において、室外から換気孔31を通過して室内に送出される風Ｗが側方へ吹き出す構造であるが、この風Ｗに含まれる塵埃等により従来例の周辺に設置されるもの、例えばカーテンが汚れてしまうという問題がある。また、吹き出す風Ｗが開閉蓋体22の内面に当たると、その風Ｗが跳ね返り（図12参照）、この風Ｗに含まれる塵埃等により従来例周囲の壁面が汚れてしまう場合もある。
【０００６】
本発明は、前述した問題点を解消する、極めて商品価値の高い画期的な換気装置を提供するものである。
【課題を解決するための手段】
【０００７】
添付図面を参照して本発明の要旨を説明する。
【０００８】
壁部30に設けた換気孔31に付設される換気装置であって、前記換気孔31に設けられる筒状の取付本体１と、この取付本体１の正面開口部１ａに設けられ進退移動することで該正面開口部１ａを開閉する開閉蓋体２とから成り、前記開閉蓋体２の内面部には、前記筒状の取付本体１に挿入若しくは被嵌される連設部３が設けられ、この連設部３の周方向複数箇所に開閉自在の通気孔Ｓが設けられていることを特徴とする換気装置に係るものである。
【０００９】
また、請求項１記載の換気装置において、前記連設部３は、前記通気孔Ｓを閉塞する所定長さの円弧板３ａが周方向複数箇所に配設された円筒状であり、この各円弧板３ａは前記連設部３の長さ方向に移動自在に設けられ、この移動により前記通気孔Ｓが開閉するように構成されていることを特徴とする換気装置に係るものである。
【００１０】
また、請求項１，２いずれか１項に記載の換気装置において、前記連設部３は、前記開閉蓋体２の内面部に所定長さのガイド部材３ｂが周方向に間隔を介して複数設けられ、このガイド部材３ｂ同士間が前記通気孔Ｓに設定され、このガイド部材３ｂ同士間において前記円弧板３ａが移動自在に設けられていることを特徴とする換気装置に係るものである。
【００１１】
また、請求項３記載の換気装置において、前記ガイド部材３ｂは周方向所定に当間隔を介した９０度毎に４つ設けられ、このガイド部材３ｂ同士間に前記円弧板３ａが上下左右の９０度毎に４つ設けられていることを特徴とする換気装置に係るものである。
【００１２】
また、請求項１〜４いずれか１項に記載の換気装置において、前記連設部３にして前記円弧板３ａの内方位置には、所定長さにして外方へ拡開する環状の風向き調整板４が設けられていることを特徴とする換気装置に係るものである。
【００１３】
また、請求項５記載の換気装置において、前記風向き調整板４は、前記通気孔Ｓに前後方向に間隔を介して複数設けられていることを特徴とする換気装置に係るものである。
【発明の効果】
【００１４】
本発明は上述のように構成したから、風の送出方向を任意に制御することができるなど、極めて商品価値の高い画期的な換気装置となる。
【図面の簡単な説明】
【００１５】
【図１】本実施例を示す斜視図である。
【図２】本実施例を示す斜視図である。
【図３】本実施例の要部を説明する斜視図である。
【図４】本実施例の要部を説明する分解斜視図である。
【図５】本実施例の要部を説明する斜視図である。
【図６】本実施例の要部を説明する断面図である。
【図７】本実施例の要部を説明する断面図である。
【図８】本実施例の要部を説明する断面図である。
【図９】本実施例の要部を説明する断面図である。
【図１０】本実施例の要部を説明する断面図である。
【図１１】本実施例の使用状態説明図である。
【図１２】本実施例の別例を説明する断面図である。
【図１３】従来例の要部を説明する断面図である。
【発明を実施するための形態】
【００１６】
好適と考える本発明の実施形態を、図面に基づいて本発明の作用を示して簡単に説明する。
【００１７】
外気を室内に取り入れたい場合やそうでない場合など、必要に応じて開閉蓋体２を進退移動させて取付本体１の正面開口部１ａの開放状態及び閉塞状態を切り替える。
【００１８】
ところで、前述したように例えば換気装置が設けられる場所によって、開閉蓋体２を開放状態とした際、風Ｗを送出させたくない方向がある。
【００１９】
この点、本発明は、前記開閉蓋体２の内面部には、前記筒状の取付本体１に挿入される連設部３が設けられ、この連設部３の周方向複数箇所に開閉自在の通気孔Ｓが設けられているから、風Ｗを送出させたい方向の通気孔Ｓは開放状態とし、その他の通気孔Ｓは閉塞状態として、換気孔31を通過して送出される風Ｗの送出方向を任意に制御することができる。
【実施例】
【００２０】
本発明の具体的な実施例について図面に基づいて説明する。
【００２１】
本実施例は、壁部30に設けた換気孔31に付設される換気装置であって、換気孔31に設けられる筒状の取付本体１と、この取付本体１の正面開口部１ａに設けられ、該正面開口部１ａを開閉する開閉蓋体２とから成るものである。
【００２２】
以下、本実施例に係る構成各部について詳細な説明をする。
【００２３】
取付本体１は、図１〜４に図示したように適宜な合成樹脂製の部材で形成されており、円筒形状の筒状部１Ａと、この筒状部１Ａの正面開口部に設けられ外方に突出する正面視方形状の蓋体配設部１Ｂとで構成されている。
【００２４】
この取付本体１は、建物の壁部30に設けた換気孔31に筒状部１Ａを嵌合させ、蓋体配設部１Ｂを壁部30の表面に添設することで取り付けられる。
【００２５】
筒状部１Ａの中央には、管状部７が設けられ、この管状部７の外周面には複数（４枚）のリブ７ａが放射状に突設され、このリブ７ａは該筒状部１Ａの内周面に連設されている。
【００２６】
この管状部７には、後述する開閉蓋体２に設けられる棒状部８が出し入れ自在に挿入されている。
【００２７】
従って、開閉蓋体２は取付本体１に対して進退移動可能となり、前進移動させた際には取付本体１の正面開口部１ａを開放状態とし、後退移動させた際には正面開口部１ａを閉塞状態とする。
【００２８】
また、開閉蓋体２には、特開２００７−１０２５０に開示される開閉機構が設けられており、この開閉機構により、開閉蓋体２が進退移動することによって得られる開放状態と閉塞状態の切り替えが該開閉蓋体２の一押し操作により行なわれるように構成されている。
【００２９】
蓋体配設部１Ｂは、取付本体１の正面開口部１ａを形成するものであり、開口縁部に後述する開閉蓋体２を嵌合収納し得るように構成されている。
【００３０】
また、蓋体配設部１Ｂは、開閉蓋体２を閉塞位置とした際、該開閉蓋体２の表面と開口縁部が略面一状態となるように設定されている。従って、開閉蓋体２により良好な閉塞状態が得られることになる。
【００３１】
開閉蓋体２は、図１，２に図示したように適宜な合成樹脂製の部材で形成した方形板状体であり、この開閉蓋体２の内面中央位置には、取付本体１に設けられた管状部７に出し入れ自在に挿入される棒状部８が設けられる。
【００３２】
また、開閉蓋体２の内面部には、筒状の取付本体１に挿入される筒状の連設部３が設けられ、この連設部３の周方向複数箇所に通気孔Ｓが開閉自在に設けられている。尚、連設部３は取付本体に被嵌される構成でも良い。
【００３３】
この連設部３は、図３〜５に図示したように適宜な合成樹脂製の部材で形成されたものであり、開閉蓋体２の内面部に、通気孔Ｓを閉塞する所定長さの円弧板３ａが周方向複数箇所に配設された円筒状であり、この各円弧板３ａは連設部３の長さ方向に移動自在に設けられている。
【００３４】
具体的には、連設部３は、開閉蓋体２の内面部に所定長さのガイド部材３ｂが周方向に間隔を介して複数設けられ、このガイド部材３ｂ同士間が通気孔Ｓに設定され、このガイド部材３ｂ同士間において円弧板３ａがスライド移動自在に設けられている。
【００３５】
また、この連設部３は、開閉蓋体２の閉塞状態の際には取付本体１内に収納される。
【００３６】
また、ガイド部材３ｂは周方向所定に当間隔を介した９０度毎に４つ設けられ、このガイド部材３ｂ同士間に円弧板３ａが上下左右の９０度毎に４つ設けられており、即ち、円弧板３ａは、換気装置を正面方向から見て、上下左右位置に配されており、この各円弧板３ａを開放することで上下左右の４方向への風Ｗの送出方向（最大で１５パターン（全方向吹き出し含む）の送出方向）が得られる。
【００３７】
従って、開閉蓋体２の開放状態において、円弧板３ａが後方に位置する際には通気孔Ｓは開放状態となり、円弧板３ａを前方へスライド移動させることで通気孔Ｓは閉塞状態となり、更に、各円弧板３ａは独立して前後方向へスライド自在であるため、上下方向の任意の方向へ風Ｗを送出させることができる（図９，10参照）。
【００３８】
また、円弧板３ａのスライド位置調整により開口度合いを変えることで送出される風Ｗの風量も調整することができる。
【００３９】
尚、本実施例では、円弧板３ａは前後方向にスライド自在に設けられているが、周方向にスライド自在に設けて通気孔Ｓを開閉するように設けても良い。
【００４０】
また、連設部３にして円弧板３ａの内方位置には、所定長さの板巾を有し且つ外方へ拡開する環状の風向き調整板４が設けられており、この風向き調整板４は、通気孔Ｓの内方位置に前後方向に間隔を介して複数（３つ）設けられている。
【００４１】
この各風向き調整板４は、図６〜８に図示したようにガイド部材３ｂ同士間に架設状態でテーパー形状のリング体が一体成形されており、前方程外を向くように傾斜状に設けられている。
【００４２】
従って、円弧板３ａを開放させた状態において送出される風Ｗが開閉蓋体２の内面に当たり難い方向（前方傾斜方向）に誘導される（開閉蓋体２の内面に当たって跳ね返ることを可及的に抑制する）ことになり、このことから送出される風Ｗが壁部30の壁面にぶつかることが可及的に防止されることになる。
【００４３】
また、図12は本実施例の別例であり、風向き調整板４が２つ設けられ、管状部７の外周面に設けられるリブ７ａは、筒状部１Ａ内に設けられる筒状連結体９に設けられている。
【００４４】
本実施例は上述のように構成したから、外気を室内に取り入れたい場合やそうでない場合など、必要に応じて開閉蓋体２を進退移動させて取付本体１の正面開口部１ａの開放状態及び閉塞状態を切り替える。
【００４５】
ところで、前述したように例えば換気装置が設けられる場所によって、開閉蓋体２を開放状態とした際、風Ｗを送出させたくない方向がある（図11参照）。
【００４６】
この点、本実施例は、開閉蓋体２の内面部には、筒状の取付本体１に挿入される連設部３が設けられ、この連設部３の周方向複数箇所に開閉自在の通気孔Ｓが設けられているから、風Ｗを送出させたい方向の通気孔Ｓは開放状態とし、その他の通気孔Ｓは閉塞状態として、換気孔31を通過して送出される風Ｗの送出方向を任意に制御することができる。
【００４７】
また、本実施例は、連設部３は、前記通気孔Ｓを閉塞する所定長さの円弧板３ａが周方向複数箇所に配設された円筒状であり、この各円弧板３ａは前記連設部３の長さ方向に移動自在に設けられ、この移動により前記通気孔Ｓが開閉するように構成されているから、前述した作用効果を簡易に且つ確実に奏することになる。
【００４８】
また、本実施例は、連設部３は、開閉蓋体２の内面部に所定長さのガイド部材３ｂが周方向に間隔を介して複数設けられ、このガイド部材３ｂ同士間が前記通気孔Ｓに設定され、このガイド部材３ｂ同士間において円弧板３ａが移動自在に設けられ、更に、ガイド部材３ｂは周方向所定に当間隔を介した９０度毎に４つ設けられ、このガイド部材３ｂ同士間に円弧板３ａが上下左右の９０度毎に４つ設けられているから、この点においても前述した作用効果を簡易に且つ確実に奏することになる。
【００４９】
また、本実施例は、連設部３にして円弧板３ａの内方位置には、所定長さの板巾を有し且つ外方へ拡開する環状の風向き調整板４が設けられ、更に、風向き調整板４は、通気孔Ｓに前後方向に間隔を介して複数設けられているから、より一層、本実施例が設置される壁部30の壁面が汚れるのを防止することができる。
【００５０】
尚、本発明は、本実施例に限られるものではなく、各構成要件の具体的構成は適宜設計し得るものである。
【符号の説明】
【００５１】
Ｓ  通気孔
１  取付本体
１ａ  正面開口部
２  開閉蓋体
３  連設部
３ａ  円弧板
３ｂ  ガイド部材
６  風向き調整板
30  壁部
31  換気孔
【図１】
2018105562.tif 000003
【図２】
2018105562.tif 000004
【図３】
2018105562.tif 000005
【図４】
2018105562.tif 000006
【図５】
2018105562.tif 000007
【図６】
2018105562.tif 000008
【図７】
2018105562.tif 000009
【図８】
2018105562.tif 000010
【図９】
2018105562.tif 000011
【図１０】
2018105562.tif 000012
【図１１】
2018105562.tif 000013
【図１２】
2018105562.tif 000014
【図１３】
2018105562.tif 000015